【事件の表示】
　平成　８年特許願第　１９１００号「パチンコ機」拒絶査定不服審判事件〔平成　９年　８月１２日出願公開、特開平　９−２０６４３０〕について、次のとおり審決する。
【結　論】
　本件審判の請求は、成り立たない。
【理　由】
１．手続の経緯 
　本願は、平成８年２月５日の出願であって、平成１１年１２月６日に手続補正がなされ、平成１３年９月１９日付の拒絶理由通知に対し平成１３年１２月３日付で手続補正がなされ、平成１４年４月２４日付で拒絶理由が通知され、平成１４年６月２６日付で手続補正がなされ、平成１４年６月２６日付の手続補正が平成１４年１０月１１日付で却下されると共に同日付で拒絶査定がなされ、平成１４年１１月２０日付に拒絶査定に対する審判請求がなされると共に同日付で手続補正がなされたものである。 
　　　　　　　　　　　　　　　 
２．平成１４年１１月２０日付の手続補正（以下、「本件補正」という。）についての補正却下の決定 
［補正却下の決定の結論］ 
　　平成１４年１１月２０日付の手続補正を却下する。 
［理由］ 
（１）本件補正の内容 
　本件補正により、特許請求の範囲の請求項１は、 
　　　　　　　　　　　　　　　　　 
「　遊技領域内に、表示内容を変化させる表示部が設けられており、その表示部の表示内容が特定の態様となると、遊技者にとって有利な特別遊技状態が生起するパチンコ機であって、 
　前記表示部が１枚の表示画面からなるものであり、 
　前記表示部の前面に、透明な合成樹脂製の帯状の壁板を、遊技盤面に垂直に、略長方形状に複数周設することにより、該表示部を縦断するように、遊技球を通過させうる通路が少なくとも１つ設けられているとともに、 
　前記表示部が、前記通路によって分割された複数の部位に、別々な態様で表示可能であり、かつ、 
　各通路の上方に、障害板が、出没自在に設けられていることを特徴とするパチンコ機。」と補正された。 
　　　　　　　　　　　　 
　前記補正は、補正前（平成１３年１２月３日付で手続補正により補正された特許請求の範囲）の請求項１に記載された発明を特定するために必要な事項である「表示部」に関して「前記表示部が１枚の表示画面からなるものであり、」と、「通路」について、「表示部を縦断するように、遊技球が通過させうる通路が少なくとも１つ設けられているとともに、」から「透明な合成樹脂製の帯状の壁板を、遊技盤面に垂直に、略長方形状に複数周設することにより、該表示部を縦断するように、遊技球を通過させうる通路が少なくとも１つ設けられているとともに、」へと限定するものであるから、本件補正は、特許法第１７条の２第４項第２号の特許請求の範囲の減縮を目的とするものに該当する。 
　　　　　　　 
　そこで、本件補正後の請求項１に記載された発明（以下、「本願補正発明」という。）が特許出願の際独立して特許を受けることができるものであるのか（平成１５年改正前特許法第１７条の２第５項において準用する同法第１２６条第４項の規定に適合するか）について以下に検討する。 
　　　　　　　　　　　 
（２）引用例 
　原査定の拒絶の理由で引用された特開平６−２１００５２号公報（以下、「引用例」という。）には、図面とともに以下の記載がある。 
　　　　　　　　　　　　 
（記載事項ａ） 
「【請求項１】 パチンコ球の転動方向を変化させる変向部が形成された作用部材を遊技盤面に設置したことを特徴とするパチンコ機。」（【特許請求の範囲】） 
　　　　　　　　　　　　 
（記載事項ｂ） 
「【産業上の利用分野】この発明はパチンコ機に関する。」（【０００１】） 
　　　　　　　　　　　　　　　 
（記載事項ｃ） 
「【実施例】本発明は遊技盤に装着された入賞装置、図柄表示装置、球受装置、表示装置等のパチンコ球用各種装置の何れにも適用することができるものであるが、以下本発明が図柄表示装置の覆い部について具体化された１実施例を図面にしたがって説明する。パチンコ機の遊技盤１の下端部には開閉制御可能な大入賞口２ａと、左右１対の始動口２ｂとを有する入賞装置２が装着され、遊技盤１の中央部には入賞装置２の大入賞口２ａの開放条件を規定する大型で横長状の図柄表示装置３が遊技盤面１ａの有効幅のほぼ全長にわたって装着されている。」（【０００７】） 
　　　　　　　　　　　　 
（記載事項ｄ） 
「　透明合成樹脂材で形成されてベース板４の前面にビス４３で結合され、遊技盤面１ａに設置されてパチンコ球を誘導する球誘導機能を有するカバー板（作用部材）１５にはベース板４の前方に１個のパチンコ球の通過が可能な間隙を隔てて設置されてガラス板Ｇの後側に隣接して垂立された仕切り板１６と、ベース板４の各窓部５の斜め前上方にそれぞれ各窓部５を覆った状態で設置されて横１列に配列され、外壁面の上部がそれぞれ円弧状に湾曲された左通路壁１７Ａ、中通路壁１７Ｂ、右通路壁１７Ｃとが形成され、仕切り板１６にはベース４の各窓部５の上部前方にそれぞれ隣設された３つの凹陥部１６ａが凹設されている。 
左通路壁１７Ａと発射レール１４の左端部との間、および、右通路壁１７Ｃと発射レール１４の右端部との間にはパチンコ球の転落通路１８がそれぞれ形成され、左通路壁１７Ａと中通路壁１７Ｂとの間、および、中通路壁１７Ｂと右通路壁１７Ｃとの間には上方から下方へのパチンコ球の通り抜けが可能でパチンコ球を入賞装置２の大入賞口２ａの方向へ誘導する左右１対の球誘導通路１９がそれぞれ形成され、両球誘導通路１９の左右路壁面はほぼ逆八形状に対置されている。 
各通路壁１７Ａ，１７Ｂ，１７Ｃの内壁面には左右１対の垂直面１７ａと、この両垂直面１７ａの上端縁に連接されて上内方へ延出された左右１対の斜面１７ｂと、この両斜面１７ｂの内端に連接された水平面１７Ｃとがそれぞれ形成されている。」（段落【００１６】〜【００１８】） 
　　　　　　　　　　　　　　 
（記載事項ｅ） 
「 前中継板３１の前面には等間隔で横１列に配列されて各レンズ板１２の透光部１２ａの後側にそれぞれ垂立され、各透光部１２ａをその後方から照射する３個の大型の図柄表示体３２が設置され、本例では各図柄表示体３２は１６×２４個のドット素子を有するドットＬＥＤによって形成されている。カバー板１５の左右誘導通路１９および各変向部２０Ａ〜２０Ｄは各図柄表示体３２の正面位置を避けた状態で形成されている。 
各図柄表示体３２は遊技盤面１ａに打出されたパチンコ球が入賞装置２の左右始動口２ｂに入賞したときに左図柄、中図柄、右図柄の変動表示を開始し、所定時間経過後左図柄、中図柄、右図柄の順に図柄の変動表示を停止する。各図柄表示体３２が図柄の変動表示を停止して特定した左図柄、中図柄、右図柄の組合わせが当り図柄と判定された場合には入賞装置２の大入賞口２ａが所定時間開放され、図柄の組合わせが外れ図柄と判定された場合には大入賞口２ａは開放されない。」（段落【００２８】、【００２９】） 
　　　　　　　　　　　　　　 
（記載事項ｆ） 
「　続いて、上記した構成をもつ実施例の作用と効果を説明する。遊技盤１に装着された大型の図柄表示装置３の前端には左右１対の球誘導通路１９と、第１〜第４変向部２０Ａ〜２０Ｄとが３個の図柄表示体３２の正面位置を避けて形成されたカバー板１５を設置し、遊技盤面１ａに沿って転動するパチンコ球を両球誘導通路１９によって大入賞口２ａの方向へ誘導し、球誘導通路１９を通り抜ける途中で衝突したパチンコ球のはね返り方向を第１〜第４変向部２０Ａ，２０Ｂ，２０Ｃ，２０Ｄの第１〜第４障害片２２Ａ〜２２Ｄによって変化させるように構成してある。」（段落【００３６】） 
　　　　　　　　　　　　　　　　　　 　　　　　　　　　　　　　　
（記載事項ｇ） 
「　なお、図１１に示すように、風車体２４を、カバー板１５の仕切り板１６に片持状に挿着されてガラス板Ｇ側から遊技盤１側へ延出され、ベース板４とは分離された支軸２５Ａによって遊転可能に支持するようにしてもよい。このように構成すると、風車体２４がスペース的に若しくは材質上遊技盤１側に取付けることができない場合でも、風車体２４を球誘導通路１９内に設置してパチンコ球の転動方向を調整することができる。」（段落【００３９】） 
　　　　　　　　　　　　　　　　　　　　　　　　　　　　　　 
　これらの記載、並びに、特に、 
(i)「遊技盤１の中央部には入賞装置２の大入賞口２ａの開放条件を規定する大型で横長状の図柄表示装置３が遊技盤面１ａの有効幅のほぼ全長にわたって装着されている。」（記載事項ｃ）から、図柄表示装置３の各図柄表示体３２が「遊技領域内に」設置されていることが明らかなこと、 
(ii)図３の記載から「各図柄表示体３２が３枚の略長方形状の表示画面からなるもの」であることが明らかなこと、 
(iii)「透明合成樹脂材で形成されてベース板４の前面にビス４３で結合され、遊技盤面１ａに設置されてパチンコ球を誘導する球誘導機能を有するカバー板（作用部材）１５にはベース板４の前方に１個のパチンコ球の通過が可能な間隙を隔てて設置されてガラス板Ｇの後側に隣接して垂立された仕切り板１６と、ベース板４の各窓部５の斜め前上方にそれぞれ各窓部５を覆った状態で設置されて横１列に配列され、外壁面の上部がそれぞれ円弧状に湾曲された左通路壁１７Ａ、中通路壁１７Ｂ、右通路壁１７Ｃとが形成され」（記載事項ｄ）という記載、「左通路壁１７Ａと中通路壁１７Ｂとの間、および、中通路壁１７Ｂと右通路壁１７Ｃとの間には上方から下方へのパチンコ球の通り抜けが可能でパチンコ球を入賞装置２の大入賞口２ａの方向へ誘導する左右１対の球誘導通路１９がそれぞれ形成され、」という記載（記載事項ｄ）、及び図１〜図４の記載から、各通路壁１７Ａ，１７Ｂ，１７Ｃを、「遊技盤面１ａに垂直に」、「複数」形成することにより、該各図柄表示体３２を「縦断するように」、パチンコ球を誘導させうる球誘導通路１９が「少なくとも１つ設けられている」ことは明らかであること、 
(iv)「各図柄表示体３２は遊技盤面１ａに打出されたパチンコ球が入賞装置２の左右始動口２ｂに入賞したときに左図柄、中図柄、右図柄の変動表示を開始し、所定時間経過後左図柄、中図柄、右図柄の順に図柄の変動表示を停止する。」（記載事項ｅ）という記載及び前記(iii)から、各図柄表示体３２が、前記「球誘導通路１９によって分割された複数の部位に、別々な態様で表示可能」であることもまた明らかであること、 
(v)「風車体２４を球誘導通路１９内に設置してパチンコ球の転動方向を調整することができる。」（記載事項ｇ）から、球誘導通路１９の内に、風車体２４が、「設けられている」ことが明らかなこと、 
を勘案すれば、引用例には、次の発明（以下、「引用発明」という。）が記載されていると認められる。 
　　　　　　　　　　　　　　　　　 　　　
「　遊技領域内に、図柄を変動表示させる図柄表示体３２が設置されており、その図柄表示体３２の図柄が当り図柄となると、大入賞口２ａが所定時間開放するパチンコ機であって、 
　前記図柄表示体３２が３枚の略長方形状の表示画面からなるものであり、 
　前記図柄表示体３２の斜め前上方に、透明合成樹脂材の各通路壁１７Ａ，１７Ｂ，１７Ｃを、遊技盤面１ａに垂直に、外壁面の上部がそれぞれ円弧状に湾曲されて複数形成することにより、パチンコ球を誘導させうる球誘導通路１９が少なくとも１つ設けられているとともに、 
　前記図柄表示体３２が、前記球誘導通路１９によって分割された複数の部位に、別々な態様で表示可能であり、かつ、 
　各球誘導通路１９の内に、風車体２４が、設けられているパチンコ機。」 　　　　　　 　
（３）対比 
　そこで、本願補正発明と引用発明に記載の発明とを比較すると、引用発明の、ａ「図柄」、ｂ「変動表示」、ｃ「図柄表示体３２」、ｄ「設置され」、ｅ「当り図柄」、ｆ「大入賞口２ａが所定時間開放」、ｇ「透明合成樹脂材」、h「各通路壁１７Ａ，１７Ｂ，１７Ｃ」、i「遊技盤面１ａ」、j「パチンコ球」、k「誘導」、l「球誘導通路１９」は、本願補正発明のａ「表示内容」、ｂ「変化」、ｃ「表示部」、ｄ「設けられ」、ｅ「特定の態様」、ｆ「遊技者にとって有利な特別遊技状態が生起」、ｇ「透明な合成樹脂製」、h「壁板」、i「遊技盤面」、j「遊技球」、k「通過」、l「通路」に相当し、 引用発明のm「形成」、n「内に」、o「風車体２４」は、本願補正発明のm「周設」、n「上方に」、o「障害板」にそれぞれ、m「設けたこと」、n「近傍に」、o「遊技球の流下方向を変化させるもの」という点で共通している。 
　　　　　　　　　　　　　　　　　　　 
　よって、両者は、 
　　　　　　　　　　　 　　　　
「　遊技領域内に、表示内容を変化させる表示部が設けられており、その表示部の表示内容が特定の態様となると、遊技者にとって有利な特別遊技状態が生起するパチンコ機であって、 
透明な合成樹脂製の壁板を、遊技盤面に垂直に、複数設けたことにより、遊技球を通過させうる通路が少なくとも１つ設けられているとともに、 
　前記表示部が、前記通路によって分割された複数の部位に、別々な態様で表示可能であり、かつ、 
　各通路の近傍に、遊技球の流下方向を変化させるものが、設けられているパチンコ機。」 
　　　　　　　　　 
である点で一致し、以下の点で相違する。 
　　　　　　　　　 
　相違点１ 
　本願補正発明では、表示部が１枚の表示画面からなるものであり、前記表示部の前面に、壁板を、複数設けることにより、該表示部を縦断するように、遊技球を通過させうる通路が設けられているのに対して、 
引用発明では、表示部が３枚の略長方形状の表示画面からなるものであり、表示部の斜め前上方に、壁板を、複数設けたことにより、遊技球を通過させうる通路が設けられている点。
　　　　　　　　　　　　　　　　　　　　
　相違点２
　本願補正発明では、帯状の壁板を、略長方形状に周設するのに対して、引用発明では、壁板を、外壁面の上部がそれぞれ円弧状に湾曲されて設けており、周設はしていない点。
　　　　　　　　　　　　　　　
　相違点３ 
　通路の近傍に設けられた遊技球の流下方向を変化させるものが、本願補正発明では、出没自在の障害板であるのに対し、引用発明では、風車体２４である点。 
　　　　　　　　　　　 
（４）判断 
　前記相違点について検討する。 
　前記相違点１ついて検討する。 
　１枚の表示画面からなる表示部の前面に、遊技球の流下を規制する部材（釘）を設けたことにより、表示部を縦断するように遊技球を流下させるパチンコ機は周知技術（以下、「周知技術Ａ」という。）（例えば、特開平７−１８５０７４号公報、特開平３−１２８０７７号公報参照。）であるから、引用発明の表示部を１枚の表示画面で形成して、相違点１に係る本願補正発明の如く構成することは、当業者が容易に想到できることである（引用発明において、表示部を、前面に遊技球の流下を規制する部材を設けた１枚の表示画面からなるものとすれば、表示部の前面に、遊技球の流下を規制する部材である壁板を、遊技盤面に垂直に、複数設けたこととなることは明らかであるし、表示部を縦断するように、遊技球を通過させうる通路が少なくとも１つ設けられていることになることも、また明らかである。）。
　　　　　　　　　　　　　　　
　前記相違点２について検討する。
　引用発明においては、壁板の外壁面の上部が円弧状に湾曲されているが、見やすくするために、表示部を囲むことは周知技術（以下、「周知技術Ｂ」という。）（例えば、特開平５−２９３２４５号公報（特に、図４を参照。）、特開平６−５４９５０号公報（特に、図４を参照）を参照。）を参照。）であるから、引用発明において、壁板を、周知技術の如く表示部を囲むために周設すること、及び、周設にあたっては、略長方形状の表示部の形状に合わせて壁板を略長方形状の帯板とする設計変更を加味して、相違点２に係る本願補正発明の如く構成することは、当業者が容易に想到できることである。 
　　　　　　　　　　　　　　　　　　　　　　　　　　　　
　前記相違点３について検討する。 
　遊技球の進入を防ぐ出没自在の障害板は周知技術（以下、「周知技術Ｃ」という。）（例えば、特開昭６３−２１４２７２号公報（特に、「鎧部材１５」を参照。）、特開昭６３−１８６６７８号公報（特に、「障害板１３」）を参照。）であるし、通路に遊技球の進入を防ぐためには通路の入口である通路の上方に障害板を設ければよいことは明らかであるし、遊技球の進入を防げば、遊技球の流下方向が変化することもまた明らかであるから、引用発明において、遊技球の流下方向を変化させる風車体２４に代えて、通路の上方に前記周知技術Ｃの如き出没自在の障害板を設けて、相違点３に係る本願補正発明の如く構成することは、当業者が容易に想到できることである。
　　　　　　　　　　　 　　　　　
（５）本願補正発明の作用効果について  
　本願補正発明の奏する効果は、前記引用発明に前記周知技術Ａ〜Ｃを適用したものから当業者が容易に予測し得るものであって、格別顕著なものではない。 
　　　　　　　 　　　　　　
　よって、本願補正発明は、引用例記載の発明及び前記周知技術Ａ〜Ｃに基づいて当業者が容易に発明をすることができたものであるから、特許法第２９条第２項の規定により特許出願の際独立して特許を受けることができない。 
　　　　　　　 
（６）むすび 
　以上のとおり、本件補正は、平成１５年改正前特許法第１７条の２第５項において準用する特許法第１２６条第４項の規定に違反するものであり、特許法第１５９条第１項で読み替えて準用する特許法第５３条第１項の規定により却下されるべきものである。 
　　　　　　　 
３．本願発明について 
（１）本願発明 
　平成１４年１１月２０日付の手続補正は上記のとおり却下されたので、本願の請求項１に係る発明（以下、「本願発明」という。）は、平成１３年１２月３日付手続補正書の請求項１に記載された次のとおりのものである（以下、「本願発明」という。）。 
　　　　　　　 
「　遊技領域内に、表示内容を変化させる表示部が設けられており、その表示部の表示内容が特定の態様となると、遊技者にとって有利な特別遊技状態が生起するパチンコ機であって、 
　前記表示部の前面に、表示部を縦断するように、遊技球が通過させうる通路が少なくとも１つ設けられているとともに、 
　前記表示部が、前記通路によって分割された複数の部位に、別々な態様で表示可能であり、かつ、 
　各通路の上方に、障害板が、出没自在に設けられていることを特徴とするパチンコ機。」 
　　　　　　　　 
（２）引用例 
　原査定の拒絶の理由に引用された引用例、および、その記載事項は、前記２．（２）に記載したとおりである。 
　　　　　　　　　　　　　　 
（３）対比・判断 
　本願発明は、前記２．で検討した本願補正発明における「前記表示部が１枚の表示画面からなるものであり、」との構成を省くとともに、「透明な合成樹脂製の帯状の壁板を、遊技盤面に垂直に、略長方形状に複数周設することにより、該表示部を縦断するように、遊技球を通過させうる通路が少なくとも１つ設けられているとともに、」から「表示部を縦断するように、遊技球が通過させうる通路が少なくとも１つ設けられているとともに、」以外の構成を省いたものである。 
　そうすると、本願発明の構成要件を全て含み、さらに他の構成要件を付加したものに相当する本願補正発明が、前記２．（４）に記載したとおり、引用例、及び、前記周知技術Ａ〜Ｃに基づいて、当業者が容易に発明をすることができたものであるから、本願発明も、同様の理由により、引用例、及び、周知技術Ａ〜Ｃに基づいて、当業者が容易に発明をすることができたものである。 
　　　　　　　　　　　 　　
（４）むすび 
　以上のとおり、本願発明は、引用例記載の発明、及び、前記周知技術Ａ〜Ｃに基づいて、当業者が容易に発明をすることができたものであるから、特許法第２９条第２項の規定により特許を受けることができない。 
　よって、結論のとおり審決する。